(57)【要約】【課題】  ティーグラウンド面に対して垂直に差し込まれるゴルフティーの柱状部分が一定の太さと長さを有するゴルフティーに対して、好みの高さでのティーアップを正確にできるようにしたゴルフティーの高さ調整補助具を提供する。【解決手段】  ゴルフティーの柱状部分が紐の太さの弾力によって僅かに締め付けられながらも、双方同時の貫通を許す大きさの直穴を有する直管を長さ別に設け、この長さと数を好みに組み合わせた、接地面を有する直管を含む全ての直管の直穴に、弾力のある紐を刺し通して紐の両端を閉じ、ゴルフティーの柱状部分に貫通させる当該紐通直管の数の増減によってゴルフティーの高さを調節することを特徴とするゴルフティーの高さ調整補助具。【選択図】図２
2008212595.tif 000002
【特許請求の範囲】
【請求項１】
ゴルフティーの柱状部分が紐の太さの弾力によって僅かに締め付けられながらも、双方同時の貫通を許す大きさの直穴を有する直管を長さ別に設け、この長さと数を好みに組み合わせた全ての直管の直穴に、弾力のある紐を刺し通して紐の両端を閉じ、ゴルフティーの柱状部分に貫通させる当該紐通直管の数の増減によってゴルフティーの高さを調節することを特徴とするゴルフティーの高さ調整補助具。
【請求項２】
直管の部材色は、長さ別に色分けされていることを特徴とする請求項１記載のゴルフティーの高さ調整補助具。
【請求項３】
ゴルフティーの柱状部分に貫通させる直管の少なくとも１個は、ティーグラウンド面に対して接触が確認できる大きさの接地面を有していることを特徴とする請求項１、請求項２記載のゴルフティーの高さ調整補助具。
【発明の詳細な説明】
【技術分野】
【０００１】  ティーグラウンド面に対して垂直に差し込まれるゴルフティーの柱状部分が一定の太さと長さを有するゴルフティーに対して、好みの高さでのティーアップを正確にできるようにしたゴルフティーの高さ調整補助具に関するものである。
【背景技術】
【０００２】  従来、ゴルフティーの高さを調節できるゴルフティーとして、その柱状部分に目盛りや接地リングまたはネジを設けたものがある（例えば、特許文献１参照）。
また、ゴルフティー補助具として、ゴルフティーが挿入される補助具筒体を好みの長さに切断してゴルフティーの高さを一定に保つものがある（例えば、特許文献２参照）。
【特許文献１】特開２００４−３４４２５０号  広報
【特許文献２】特開２００５−３０５０５８号  広報
【発明の開示】
【発明が解決しようとする課題】
【０００３】  そのために次のような問題点があった。
（イ）高さ調節機能付きゴルフティーは高価であり、また、これに付帯されている目盛りや接地リング、ネジ等を他種ゴルフティーで流用することは基本的に不可能である。そのため、インパクト時に折る等して高さ調節機能付きゴルフティーを廃棄する場合、たとえ目盛りや接地リング、ネジ等の付帯物を損傷していなくても、当該ゴルフティー本体と一緒に捨てざるを得ず、無駄を生じていた。
（ロ）上述の目盛りや接地リングといった接地に関する付帯物は、ゴルフティー本体とほぼ同じ大きさで小さい構造のものが多く、ゴルフボールを真上から見て行うことを常とするティーアップでは、当該付帯物がティーグラウンド面に接触したかどうかの目視確認および感触がとり辛い上、特殊な握り方でのティーアップを求めるものもあり、正確な高さでのティーアップは難しいものであった。
（ハ）ゴルフティーが挿入される補助具筒体の一端を好みの長さに切断してゴルフティーの高さを一定にするゴルフティー補助具については、一度切断すると一定の高さは保証されるものの、ティーショットにおいては、クラブ変更やボールの打ち分け等で好みのゴルフティーの高さが都度上下に変わるため、使用し難いものとなっていた。
本発明は、このような従来の構造が有していた問題を解決するものである。
【課題を解決するための手段】
【０００４】  ゴルフティーの柱状部分が紐の太さの弾力によって僅かに締め付けられながらも、双方同時の貫通を許す大きさの直穴を有する直管を長さ別に設け、この長さと数を好みに組み合わせた全ての直管の直穴に、弾力のある紐を刺し通して紐の両端を閉じ、ゴルフティーの柱状部分に貫通させる当該紐通直管の数の増減によってゴルフティーの高さを調節するするものである。【０００５】  また、直管の部材色を長さ別に色分けし、さらに、ゴルフティーの柱状部分に貫通させる直管の少なくとも１個は、ティーグラウンド面に対して接触が確認できる大きさの接地面を有する直管であるとした。
以上を特徴とするゴルフティーの高さ調整補助具である。
【発明の効果】
【０００６】  ティーグラウンド面に対して垂直に差し込まれるゴルフティーの柱状部分が一定の太さと長さを有するゴルフティーに対して、装脱着と使い回しを可能にした。よって、安価なゴルフティーでも前述の条件を有していれば、好みの高さでのティアップが確実に行える。尚、現在市販されているゴルフティー各種は、そのほとんどで前述の条件を有しているので安心して使用でき、よって無駄がない。【０００７】  ゴルフボールを真上から見て行うことを常とするティーアップにおいて、弾力のある紐が、各直管の緩みや落下を防ぐとともに、貫通されたゴルフティーとの一体感を強める役目も果たし、且つ接地面を有する直管があることによって、通常の握り方でのティーアップで、ティーグラウンド面に接触したかどうかの感触が容易に掴められ、且つこの接触の時点で正確なゴルフティーの高さが実現されていることになるので、高さの程度を目視確認する必要は無く、誰でも簡単に不安なくティーアップが行える。【０００８】  弾力のある紐の結び具を通じて、好みに応じて直管数を増減したり、長さの違う直管を組み合わせたりすることができるので、ティーアップ時におけるゴルフクラブの変更は無論、ゴルフボールの打ち分け等、さまざまな場面でのゴルフティーの高さが正確に実現できる。また、直管部材色を長さ別に色分けしているので、上述の組み合わせやティーアップ時における直管の選択が容易になり、且つ間違いを生じない。【０００９】  インパクト時、ゴルフティーへのクラブ衝撃を直管が緩和する効果もあるため、ゴルフティーの寿命が延ばせる。
【発明を実施するための最良の形態】
【００１０】  以下、本発明の実施の形態を図１、図２に基づいて説明する。【００１１】  ゴルフティーの柱状部分９が紐４の太さの弾力によって僅かに締め付けられながらも、双方同時の貫通を許す大きさの直穴５を有する直管１を長さ２別に設け、この長さ２と数を好みに組み合わせた全ての直管１の直穴５に、弾力のある紐４を刺し通して紐４の両端を結び具６をもって閉じたものである。【００１２】  また、直管１の部材色を長さ２別に色分けし、さらに、ゴルフティーの柱状部分９に貫通させる直管１の少なくとも１個は、ティーグラウンド面８に対して接触が確認できる大きさの接地面３を有する直管１であるとした。
本発明は、以上の構成よりなっている。【００１３】  以下、本発明をティーアップで使用する前準備を説明する。
（イ）第一に、ティーショットの対象にしたいゴルフクラブ１２を複数選択する、またはゴルフボールの打ち分けを行うといった、これらをティアップした状態でのプレーヤーの好みの高さ７となる各位置をあらかじめ決めておく。
（ロ）第二に、その各高さ７におけるゴルフティーのティーグランド面８からゴルフティーの首１０までの各高さと、接地面３を有する直管１の上に直管１を必要に応じて直穴５同士重なり合うように一つずつ積み重ねた毎の延べの長さ１１とが何処かで必ず一致するように、接地面３を有する直管１の上に、必要に応じて直管１の長さ２と数を組み合わせて直穴５同士重なり合うよう積み重ねる。
（ハ）第三に、この積み重なった状態を維持したまま、直管１の直穴５全てに対して弾力のある紐４を刺し通した後、弾力のある紐４の両端にある結び具６を用いて紐４を閉じる。【００１４】  以下、本発明をティーアップで使用するときを説明する。
（イ）上述の前準備が終了した後、ティーアップでは好みのゴルフティーの高さ７を実現する直管１の積み重ね延べ長１１となるように、接地面３を有する直管１の上に必要に応じて直管１を直穴５同士重なり合うよう積み重ねた後、この積み重ね状態を終始保ちながら、最上位にある直管１の上面直穴５からゴルフティーを挿入し、最下位にある接地面３を有する直管１の下面直穴５よりゴルフティーの柱状部分９が現れ、且つ最上位の直管１の上面がゴルフティーの首１０の太さで突っかかり止まるまでゴルフティーを挿入し続ける。
（ロ）上述より、ゴルフティーの首１０の直下にある直管１について、互いに接触する面と面とが有る場合にその間で隙間を生じていないか確認し、隙間があれば、ゴルフティーの首１０に向けて、最下部の接地面３を有する直管１の下面を指などで押し込んでいき当該隙間を無くすようにする。
（ハ）好みのゴルフティーの高さ７に寄与しない直管１３は、ゴルフティーに貫通させずに除けておく。【００１５】  以上により、接地面３を有する直管１の接地面３となる下面が、ティーグラウンド面８に接触するように通常通りティアップすれば、好みのゴルフティーの高さ７が正確に実現された状態でティーショットが行える。【００１６】  尚、ティーショットは本発明具を装着したまま行えばよく、次のホールのティーショットでゴルフティーの高さ７を変えたい場合等は、上述のティーアップで使用するときの方法を順を追って繰り返し行えばよい。
【図面の簡単な説明】
【００１７】
【図１】  直管が６個で、接地面を有する直管を除く直管の長さが全て同じ場合の本発明の構造を示す斜視図である。
【図２】  本発明の使用状態を示す斜視図である。
【符号の説明】
【００１８】  １  直管
２  直管の長さ
３  接地面
４  弾力のある紐
５  直穴
６  結び具
７  プレーヤー好みの高さ
８  ティーグラウンド面
９  ゴルフティーの柱状部分
１０  ゴルフティーの首部分
１１  直管の積み重ね延べ長
１２  ゴルフクラブ
１３  好みの高さに寄与しない直管
【図１】
2008212595.tif 000003
【図２】
2008212595.tif 000004